(57)【要約】【課題】給水が短時間で容易に行える建設機械のタンク装置を提供する。【解決手段】エンジン室２１や機械室等の建屋内に形成されたユーティリティスペース２３と、ユーティリティスペース内に設置された液体を収容するためのタンク２７と、タンクが着脱自在に載置されたスライド３０台と、スライド台をユーティリティスペースの外側へスライド自在に支承するスライド手段２８とから構成したもので、タンクが建屋内に収容されていることから、樹脂製タンクを使用した場合でも、直射日光により樹脂が早期に劣化することがない上、作業中に発生する落石や飛び石等による物理的な衝撃によりタンクが破損されるのを未然に防止でき、また建屋内よりタンクを引き出した状態で給水できるため、給水が短時間で容易に行える。【選択図】図２
2008274579.tif 000002
【特許請求の範囲】
【請求項１】
エンジン室や機械室等の建屋が車体上に設置された建設機械のタンク装置であって、前記建屋内に形成されたユーティリティスペースと、前記ユーティリティスペース内に設置された液体を収容するためのタンクと、前記タンクが着脱自在に載置されたスライド台と、前記スライド台を前記ユーティリティスペースの外側へスライド自在に支承するスライド手段とを具備したことを特徴とする建設機械のタンク装置。
【請求項２】
前記建屋の天井により上面が閉鎖され、また下部に電装品が収容された電気室が設けられた空間を前記ユーティリティスペースとしてなる請求項１に記載の建設機械のタンク装置。
【請求項３】
前記スライド台上に設置され、かつ前記タンクのサイズに応じて間隔調整が自在な複数のホルダ部材よりなるタンクホルダと、前記タンクホルダの上部に着脱自在に設けられ、かつ前記タンクの上下動を固定するタンク固定手段とを具備してなる請求項１または２に記載の建設機械のタンク装置。
【請求項４】
前記スライド手段に、前記スライド台を任意な位置にロックするロック手段を設けてなる請求項１ないし３の何れかに記載の建設機械のタンク装置。
【請求項５】
自走自在な走行体と、前記走行体上に旋回自在に設けられた旋回体と、前記旋回体に設置されたエンジン室や機械室等の建屋とを具備した建設機械のタンク装置であって、前記建屋の上面を覆う外装材により上面が閉鎖され、また下部に電装品が収容された電気室が設けられた空間に形成されユーティリティスペースと、前記ユーティリティスペース内に設置された液体を収容するためのタンクと、前記タンクが着脱自在に載置されたスライド台と、前記スライド台を前記ユーティリティスペースの外側へスライド自在に支承するスライド手段と、前記スライド台上に設置され、かつ前記タンクのサイズに応じて間隔調整が自在な複数のホルダ部材よりなるタンクホルダと、前記タンクホルダの上部に着脱自在に設けられ、かつ前記タンクの上下動を固定するタンク固定手段と、前記スライド台を任意な位置にロックするロック手段とを具備したことを特徴とする建設機械のタンク装置。
【発明の詳細な説明】
【技術分野】
【０００１】
本発明は、ウィンドウォッシャ液や冷却水等の液体を収容するタンクを建屋内に設置した建設機械のタンク装置に関する。
【背景技術】
【０００２】
従来油圧ショベルのような建設機械は、走行体上に旋回体が旋回自在に装着されていて、この旋回体に運転室や作業機、動力用エンジン等が収容された建屋が設置されている。
旋回体に設置された建屋内は、エンジン室や機械室、電装品等が収容された電気室等に区割されていて、機械室にはエンジンにより駆動される油圧ポンプが収容されており、エンジン室には、エンジンの他に、エンジン冷却液の放熱を行うラジエータや、吸気の冷却を行うインタクーラ、作動油の冷却を行うオイルクーラ等の熱交換器類が設置されている。
また電気室には、電源となるバッテリや、エンジンの電気系統を制御する制御器等の電装品が設置されており、建屋全体は、エンジン室や機械室等で発生した騒音が外部へ漏洩するのを防止すると同時に、建屋内へ雨水等が侵入するのを防止するため、鋼板等よりなる外装材により覆われた構造となっている。
【０００３】
一方建屋内に生じた空間をユーティリティスペースとして、例えば工具類を収納する工具箱に利用したり、作動油タンクや燃料タンクの設置スペースとして使用している例が特許文献１や２に記載されている。
前記特許文献１に記載の建設機械の作動油タンク装置は、機械室内に設置された油圧ポンプの側方に、側面の上部に給油口を有する作動油タンクを設置して、機械室のサイドカバーを開放することにより、直ちに給油口より作動油タンク内へ作動油が給油できる構造となっている。
また特許文献２に記載の建設機械のタンク装置は、作動油タンクの前方に設置した燃料タンクを、車体の外側に向けて回動可能に取り付けると共に、燃料タンクの下方に、バッテリや工具等の収納用スペースを設けた構造となっている。
【特許文献１】特開平５−３１１６９８号公報
【特許文献２】実開平６−７４６５５号公報
【発明の開示】
【発明が解決しようとする課題】
【０００４】
油圧ショベルのような建設機械を使用して、例えば粉塵が多い作業環境で作業を行う場合、運転室のフロントガラス等に粉塵が付着してオペレータの視界が損なわれるため、作業が安全に行えなくなったり、作業能率が低下する等の問題が発生する。
このため従来では、フロントガラスの上部や下部に設置されたノズルよりフロントガラスにウィンドウォッシャ液を噴出して、フロントガラスに付着した粉塵を洗浄しながら作業を行っているが、粉塵等が多いとウィンドウォッシャ液が早期になくなるため、粉塵等の多い作業環境で作業する建設機械には、容量の大きいタンクを予め設置している。
ウィンドウォッシャ液を収容したタンクは、建屋内に設置することになるが、容量の大きなタンクは、設置できるスペースに制限を受けることから、電気室上部等の空間をユーティリティスペースとして、このユーティリティスペース内に固定して設置することが多い。
しかし特許文献１に記載のタンク装置のように、建屋内のユーティリティスペースにタンクを固定して設置した場合、ウィンドウォッシャ液を収容するタンクのように、給水の頻度が高く、また建屋の天井がタンクの給水口に近接しているような場合、タンクに給水する際、水の一部がタンク外へ漏れ出したり、溢れ出すことがよくあり、電気室の上方にタンクを設置した場合、漏れたり溢れ出した水によって電気室内の電装品が損傷を受けたり、故障の原因となる問題がある。
【０００５】
一方特許文献２に記載のタンク装置のように、タンクが車体の外側へ回動可能にしたものでは、タンクを外側へ回動させた状態で給油（給水）することにより、油（水）の一部が漏れ出したり溢れ出しても、タンクの下方に設置された電装品が損傷を受けることは少ないが、タンクの容量が大きく、重量が重い場合、タンクを支持するヒンジ手段に過大な負荷が作用するため強度の高いヒンジ構造が必要な上、タンク自体にも強度を必要とするため、タンクを鋼板等の剛性の高い材料で製作する必要があり、タンク装置が高価となる問題がある。
またウィンドウォッシャ液や冷却水等を収容するタンクには、樹脂製のタンクを使用することが多いが、前記引用文献２に記載のタンク装置のように、タンクが常に外部へ露出していると、樹脂製タンクを使用した場合直射日光により樹脂が早期に劣化するため耐候性に乏しい上、作業中に発生する落石や飛び石等による物理的な衝撃によりタンクが破損しやすい等の問題もある。
本発明はかかる問題を改善する目的でなされたもので、給水が短時間で容易に行える建設機械のタンク装置を提供することを目的とするものである。
【課題を解決するための手段】
【０００６】
本発明の建設機械のタンク装置は、エンジン室や機械室等の建屋が車体上に設置された建設機械のタンク装置であって、建屋内に形成されたユーティリティスペースと、ユーティリティスペース内に設置された液体を収容するためのタンクと、タンクが着脱自在に載置されたスライド台と、スライド台をユーティリティスペースの外側へスライド自在に支承するスライド手段とから構成したものである。
【０００７】
前記構成により、タンクが建屋内に収容されていることから、樹脂製タンクを使用した場合でも、直射日光により樹脂が早期に劣化することがない上、作業中に発生する落石や飛び石等による物理的な衝撃によりタンクが破損されるのを未然に防止することができる。
また建屋内よりタンクを引き出した状態で給水することができるため、給水作業が短時間で容易に行えると共に、市販の樹脂製タンクを利用することができるため、新たにタンクを製作する場合に比べてタンクが安価に得られるようになり、経済的である。
【０００８】
本発明の建設機械のタンク装置は、建屋の天井により上面が閉鎖され、また下部に電装品が収容された電気室が設けられた空間をユーティリティスペースとしたものである。
【０００９】
前記構成により、タンクへ給水する際ユーティリティスペースの外側へタンクを引き出した状態で給水することにより、誤って液体を漏らしたりタンクより溢れさせても、液体が直接電気室内にかかることがないため、ウィンドウォッシャ液等の液体によって電気室内の電装品が損傷を受けたり、故障したりするのを未然に防止することができる。
また建屋の上面にハンドレール等の保安部品等があって、建屋の天井板に給水のための開口部を形成できない場所にある空間を、タンクを設置するためのユーティリティスペースとして利用することができるため、タンクを設置する際の設計の自由度が向上する。
【００１０】
本発明の建設機械のタンク装置は、スライド台上に設置され、かつタンクのサイズに応じて間隔調整が自在な複数のホルダ部材よりなるタンクホルダと、タンクホルダの上部に着脱自在に設けられ、かつタンクの上下動を固定するタンク固定手段とを具備したものである。
【００１１】
前記構成により、タンクのサイズに合わせてホルダの間隔やタンク固定手段の位置を調整することにより、スライド台上にタンクを確実に固定することができるため、建設機械の走行中や作業中にタンクがガタついたり、スライド台上より脱落する心配がない。
【００１２】
本発明の建設機械のタンク装置は、スライド手段にスライド台を任意な位置にロックするロック手段を設けたものである。
【００１３】
前記構成により、建設機械が傾斜地等に停止している場合でも、タンクを引き出し位置に固定した状態で給水することができるため、給水作業が安定した状態で行えると共に、建設機械の走行中や作業中にスライド台が勝手にスライドするのを未然に防止することもできる。
【００１４】
本発明の建設機械のタンク装置は、自走自在な走行体と、走行体上に旋回自在に設けられた旋回体と、旋回体に設置されたエンジン室や機械室等の建屋とを具備した建設機械のタンク装置であって、建屋の上面を覆う外装材により上面が閉鎖され、また下部に電装品が収容された電気室が設けられた空間に形成されユーティリティスペースと、ユーティリティスペース内に設置された液体を収容するためのタンクと、タンクが着脱自在に載置されたスライド台と、スライド台をユーティリティスペースの外側へスライド自在に支承するスライド手段と、前記スライド台上に設置され、かつ前記タンクのサイズに応じて間隔調整が自在な複数のホルダ部材よりなるタンクホルダと、タンクホルダの上部に着脱自在に設けられ、かつタンクの上下動を固定するタンク固定手段と、スライド台を任意な位置にロックするロック手段とから構成したものである。
【００１５】
前記構成により、タンクが建屋内に収容されていることから、樹脂製タンクを使用した場合でも、直射日光により樹脂が早期に劣化することがない上、作業中に発生する落石や飛び石等による物理的な衝撃によりタンクが破損されるのを未然に防止することができる。
また建屋内よりタンクを引き出した状態で給水することができるため、給水作業が短時間で容易に行えると共に、市販の樹脂製タンクを利用することができるため、新たにタンクを製作する場合に比べてタンクが安価に得られるようになり、経済的である。
またタンクへ給水する際ユーティリティスペースの外側へタンクを引き出した状態で給水することにより、誤って液体を漏らしたりタンクより溢れさせても、液体が直接電気室内にかかることがないため、ウィンドウォッシャ液等の液体によって電気室内の電装品が損傷を受けたり、故障したりするのを未然に防止することができる。
【発明の効果】
【００１６】
本発明の建設機械のタンク装置によれば、タンクが建屋内に収容されていることから、樹脂製タンクを使用した場合でも、直射日光により樹脂が早期に劣化することがない上、作業中に発生する落石や飛び石等による物理的な衝撃によりタンクが破損されるのを未然に防止することができると共に、建屋内よりタンクを引き出した状態で給水することができるため、給水作業が短時間で容易に行える。
【発明を実施するための最良の形態】
【００１７】
本発明の実施の形態を、図面を参照して詳述する。
図１は油圧ショベルよりなる建設機械の側面図、図２はタンク装置が設置されたユーティリティスペースの斜視図、図３はタンク装置の斜視図、図４はスライド手段の斜視図、図５はタンクへ給水する際の作用説明図である。
図１に示す油圧ショベルよりなる建設機械は、自走自在な走行体１と、走行体１上に旋回自在に設置された旋回体２とからなる。
走行体１は、センタフレーム３ａと、その両側に互に平行するよう設けられた一対のサイドフレーム３ｂよりなるトラックフレーム３を有していて、各サイドフレーム３ｂの一端側にはアイドラ４が前後移動自在に支承されており、他端側には油圧モータよりなる走行モータ５により回転駆動されるスプロケット６が設けられている。
アイドラ４とスプロケット６の間には無端状の履帯７が捲装されていて、この履帯７をスプロケット６で駆動することにより、走行体１が自走できるようになっていると共に、サイドフレーム３ｂの上下部には、複数の転輪８が回転自在に支承されている。
【００１８】
トラックフレーム３のセンタフレーム３ａ上に旋回自在に設置された旋回体２は、断面がほぼＩ形に形成された互いに平行する一対の車体フレーム（図示せず）が底部に設けられていて、この車体フレームの前部中央に作業機１０が装着されている。
作業機１０は図１に示すように、基端が車体フレームに枢着され、かつブームシリンダ１２により起伏自在なブーム１１と、ブーム１１の先端に基端側が枢着され、かつアームシリンダ１３により回動自在なアーム１４と、アーム１４の先端に枢着され、かつバケットシリンダ１５により回動自在なバケット１６とより構成されている。
車体フレームの前部には、作業機１０の左側に運転室１７が設置され、車体フレームの後部にはエンジン室や機械室等の建屋１８が設置されており、車体フレームの後端にはカウンタウエイト１９が取り付けられている。
【００１９】
建屋１８は、内部が動力用エンジン（図示せず）が収容されたエンジン室２１と、エンジンにより駆動される油圧ポンプが収容された機械室（ともに図示せず）等に区割されている。
建屋１８の前面と上面（天井）、後面及び両側面は鋼板よりなる外装材２２により覆われていて、エンジン室２１や機械室内等で発生した騒音が外部へ漏れるのを防止すると同時に、雨水や塵埃等が建屋１８内へ侵入するのを防止するようになっており、建屋１８の両側面を覆う外装材２２の一部は、開閉自在なドア２２ａとなっている。
一方建屋１８の空間の一部、例えば建屋１８の前側下部に設置された電気室２４の上方がユーティリティスペース２３が形成されている。
【００２０】
ユーティリティスペース２３は図２に示すように、旋回体２の前後方向に設けられた前後側板２３ａ、２３ｂと、これら側板２３ａ、２３ｂ間の底部に設けられた底板２３ｃと、各側板２３ａ、２３ｂ間の上面に設けられた天井板２３ｄにより箱型構造となっていて、開放された側面に、一端側が後側板２３ｂの開口縁に図示しないヒンジにより蝶着されたドア２３ｆが設けられており、ドア２４はヒンジを中心に開閉自在となっている。
ユーティリティスペース２３内は、中底２３ｅにより上側がタンク室２５に、そして下側が電気室２４に区割されていて、電気室２４内には、建設機械の電源となるバッテリ２６や、エンジンを制御する制御器等の電装品（図示せず）等が収容されている。
そしてタンク室２５内に、運転室１７のフロントガラス１７ａ等に付着した粉塵等を洗浄するウィンドウォッシャ液が収容されたタンク２７が設置されている。
タンク２７は、例えば市販のポリエチレン樹脂製タンクが使用されていて、上面に着脱自在なキャップ２７ａに覆われた給水口２７ｂが設けられており、スライド手段２８により支持されたスライド台３０上に載置されている。
【００２１】
スライド手段２８には、重量物に対しても十分な強度を有するスライドレール２９が使用されている。
スライドレール２９は図に示すように、中底２３ｅの上面に旋回体２の前後を直交するように設置された一対の固定レール２９ａと、これら固定レール２９ａにリテーナ２９ｂを介してスライド自在に支承された可動レール２９ｃとより構成されている。
リテーナ２９ｂには、摩擦抵抗を低減するため、複数のボールベアリングまたはローラベアリング（何れも図示せず）が回転自在に支承されていて、可動レール２９ｃに負荷が加わった場合でも可動レール２９ｃをユーティリティスペース２３の外側、すなわち建屋１８の側方へ容易に引き出せるようになっており、ロック手段３１により可動レール２９ｃを格納位置や引き出し位置及び任意な位置にロックできるようになっている。
ロック手段３１は図４に示すように、一方のスライドレール２９に沿ってハンドル３１ａが設けられていて、ハンドル３１ａの先端に形成された操作部３１ｂを回動することにより左右スライドレール２９に設けられた係止爪（図示せず）が鋸歯状の係止歯３１ｃに係合して、可動レール２９ｃを任意な位置でロックできるようになっており、左右のガイドレール２９に設けられた係止部は、連動杆３１ｄにより互いに連動されていて、一方のスライドレール２９に設けられたハンドル３１ａにより左右の係止爪が同時に操作できるようになっている。
【００２２】
一方左右スライドレール２９の可動レール２９ｃ上面には、固定ピン２９ｄが突設されていて、これら固定ピン２９ｄによりスライド台３０が可動レール２９ｃに固着されている。
スライド台３０は図３に示すように、タンク２７の底面積より十分に大きな鋼板等の板体により形成されていて、スライド台３０上にタンク２７の周囲を保持するタンクホルダ３２が設置されている。
タンクホルダ３２は、タンク２７の手前側角部に設けられた一対のホルダ部材３２ａと、タンク２７の背後に設けられたホルダ部材３２ｂとからなる。
タンク２７の手前側角部に設けられた一対のホルダ部材３２ａは、Ｌ字形に屈曲された側板３２ｃと、これら側板３２ｃの底部に設けられた底板３２ｄとから形成されていて、底板３２ｄには旋回体２の前後方向に細長い長孔３２ｅが穿設されており、これら長孔３２ｅより挿入したボルト等の固着具３３を中底２３ｅの下面に固着されたナット３３ａに螺挿することにより、中底２３ｅに対し、各ホルダ部材３２ａが固定できるようになっている。
【００２３】
またタンク２７の背後に設けられたホルダ部材３２ｂは、側板３２ｆと底板３２ｇとによりほぼＬ字形に形成されていて、底板３２ｇには、ホルダ３２ａ側の長孔３２ｅとを直交する方向に細長い長孔３２ｈが穿設されており、これら長孔３２ｈより挿入した固着具３３を中底２３ｅの下面に固着したナット３３ａに螺挿することにより、中底２３ｅに対しホルダ部材３２ｂが固定できるようになっていると共に、各ホルダ部材３２ａ、３２ｂの内面、すなわちタンク２７と当接する面には、発泡ポリウレタン等の弾性体よりなるクッション体３４が接着等の手段で固着されている。
一方タンク２７の前面角部に設けられた各ホルダ部材３２ａの上部には、ブラケット３２ｉが突設されていて、これらブラケット３２ｉ間にタンク固定手段３５が設けられている。
タンク固定手段３５は、ホルダ３２により保持されたタンク２７の上下動を固定するもので、タンク２７の上面を横切るように設けられた押圧杆３５ａと、押圧杆３５ａの両側より下方へ突設されたボルトよりなる固着具３５ｂとからなる。
押圧杆３５ａの両端部には、ホルダ３２ａの間隔調整に合わせて固着具３５ｂの間隔が調整できるように長孔３５ｃが形成されていて、これら長孔３５ｃより挿入した固着具３５ｂの先端をブラケット３２ｉの取り付け孔３２ｊに挿入した状態でナット３５ｄを締め付けることにより、各ホルダ３２ａ間にタンク２７が固定できるようになっている。
【００２４】
またタンク２７の下部には、底面よりやや高い位置に出水口（図示せず）が開口されていて、この出水口に樹脂チューブよりなる給水管３６の一端が接続されている。
給水管３６の他端側は、ユーティリティスペースの側板上部に開口された導出口２３ｇよりユーティリティスペース２３外へ導出された後、運転室１７のウィンドガラス１７ａ上部に設置されたノズル（図示せず）へと配管されており、給水管３６の途中に設けられた水ポンプ（図示せず）によりタンク２７内のウィンドウォッシャ液がノズルへと圧送されるようになっている。
なお図２中３７は、ユーティリティスペース２３の天井板上面に突設されたハンドレールで、建屋１７内を点検したり、整備する際に使用する保安部品である。
【００２５】
次に前記構成された建設機械のタンク装置の作用を説明する。
粉塵等が発生する作業環境で作業を行う建設機械は、粉塵等が運転室のフロントガラス等に付着すると、オペレータの視界が失われるため、フロントガラス等に付着した粉塵等の洗浄が必要となる。
また作業中何度もフロントガラス等を洗浄することがあるため、ウィンドウォッシャ液を収容するタンク２７には大容量のものが必要な上、作業を開始する前に、タンク２７をウィンドウォッシャ液で充満させておく必要がある。
【００２６】
タンク２７にウィンドウォッシャ液を給水するに当たっては、まずユーティリティスペース２３の側面を閉鎖するドア２４を開放したら、ロック手段３１のハンドル３１ａを回動して、スライドレール２９の可動レール２９ｃのロックを解除する。
次にこの状態でスライド台３０を手前に引いて、ユーティリティスペース２３内よりタンク２７を図５に示す位置まで引き出す。
これによって、いままで天井板２３ｄに近接して給水口があっても、天井板２３ｄに邪魔されることなく、給水口２７ｂのキャップ２７ａを外してタンク２７内にウィンドウォッシャ液を給水できるようになる。
また給水の際誤ってウィンドウォッシャ液を漏らしたり、給水口２７ｂより溢れさせても、タンク２７は電気室２４の上方より外側へ引き出された状態にあるため、漏れたり溢れたりしたウィンドウォッシャ液は、直接電気室２４内にかかることがなく、これによってウィンドウォッシャ液により電気室２４内の電装品が損傷されたり、故障したりするのを未然に防止することができる。
【００２７】
一方タンク２７内へのウィンドウォッシャ液の給水が完了したら、ロック手段３１により引き出し位置にロックしていたスライド台３０のロックを解除してタンク２７をユーティリティスペース２３内へ押し込んだ後、再びロック手段３１によりスライド台３０を格納位置へロックしたら、ドアを閉鎖して作業を開始する。
作業中多量にウィンドウォッシャ液を使用しても、容量の大きなタンク２７を予めユーティリティスペース２３内に設置してあるため、１日の作業が終了するまでタンク２７の給水はほとんど必要としないと共に、給水が必要になっても、前述したようにタンク２７をユーティリティスペース２３より引き出して給水を行うことにより、給水が短時間で行える上、電気室２４への悪影響も回避することができる。
【００２８】
なお前記実施の形態では、油圧ショベルに実施した例について説明したが、車体上に建屋が設置された建設機械全般に適用できるものである。
【図面の簡単な説明】
【００２９】
【図１】本発明の実施の形態になるタンク装置を採用した建設機械の側面図である。
【図２】本発明の実施の形態になる建設機械のタンク装置が設置されたユーティリティスペースの斜視図である。
【図３】本発明の実施の形態になる建設機械のタンク装置の斜視図である。
【図４】本発明の実施の形態になる建設機械のタンク装置に使用したスライド手段の斜視図である。
【図５】本発明の実施の形態になる建設機械のタンク装置の作用説明図である。
【符号の説明】
【００３０】
１    走行体
２    旋回体
１８    建屋
２２    外装材
２３    ユーティリティスペース
２７    タンク
２８    スライド手段
３０    スライド台
３１    ロック手段
３２    タンクホルダ
３２ａ    ホルダ部材
３２ｂ    ホルダ部材
３５    タンク固定手段
【図１】
2008274579.tif 000003
【図２】
2008274579.tif 000004
【図３】
2008274579.tif 000005
【図４】
2008274579.tif 000006
【図５】
2008274579.tif 000007